(57)【特許請求の範囲】
【請求項１】
電源となるバッテリーパックを着脱可能な装着部を有する電動工具であって、
遠隔操作用保持具が、前記装着部でのみ前記電動工具に対して着脱されるものであり、
前記装着部に、前記遠隔操作用保持具との連結用の被係止部を新たに設けたことを特徴とする電動工具。
【請求項２】
前記装着部への前記バッテリーパックの装着を、前記装着部に設けた一対のガイドレールの間に前記バッテリーパックに設けた一対のスライドレールを嵌合させてスライド結合させるものとして、前記被係止部を、前記ガイドレールの外面で前記ガイドレールと平行に突出する突条としたことを特徴とする請求項１に記載の電動工具。
【請求項３】
請求項１又は２に記載の電動工具の装着部に連結可能な連結体と、前記連結体に連結された前記電動工具のスイッチをＯＮ状態に維持可能なスイッチ規制手段と、前記連結体にパイプを介して接続され、前記バッテリーパックを着脱可能なハンドルと、前記連結体に装着された前記電動工具を前記ハンドルに装着された前記バッテリーパックと電気的接続させる接続手段と、前記ハンドルに設けられ、前記接続手段による前記電動工具とバッテリーパックとの電気的接続を制御可能なスイッチ手段とを備え、
前記連結体に、前記被係止部に係止して前記装着部を支持する係止部を設けて、前記被係止部と係止部との係止によって前記装着部に前記連結体を連結可能としたことを特徴とする電動工具の遠隔操作用保持具。
【請求項４】
前記被係止部が前記突条となる請求項２に記載の電動工具に対しては、前記係止部を、前記一対のガイドレールの外側に位置して互いの対向面に前記突条が嵌合可能な凹溝を形成した少なくとも一対の壁体としたことを特徴とする請求項３に記載の電動工具の遠隔操作用保持具。
【請求項５】
請求項１又は２に記載の電動工具に、請求項３又は４に記載の電動工具の遠隔操作用保持具の連結体を連結してなる遠隔操作用保持具付き電動工具。
【発明の詳細な説明】
【技術分野】
【０００１】
本発明は、バッテリーパックによって電源を得るチェーンソー等の充電式の電動工具と、その電動工具を作業者の手元から離れた場所で操作可能に保持する遠隔操作用保持具とに関する。
【背景技術】
【０００２】
上記遠隔操作用保持具（以下単に「保持具」という。）について、本件出願人は特許文献１に記載の発明を提供している。この保持具は、バッテリーパックを取り外した電動工具を連結可能な連結体と、その連結体に設けられ、電動工具のスイッチをＯＮ状態に維持可能なスイッチ規制手段と、連結体にパイプを介して接続され、バッテリーパックを着脱可能なハンドルと、連結体へ連結された電動工具をハンドルに装着されたバッテリーパックと電気的接続させる接続手段と、ハンドルに設けられ、バッテリーパックと電動工具との電気的接続を制御するスイッチ手段とを備えてなるものである。
また、この保持具においては、電動工具と連結体との連結に、電動工具とバッテリーパックとの装着構造をそのまま利用した形態を開示している。すなわち、連結体には、バッテリーパックと同じ位置に電極端子板を備えた差込部を設けると共に、差込部の側方に、バッテリーパックと同じフックボタンを設けて、差込部を電動工具におけるバッテリーパックの装着部に差し込むことによって、工具側の装着部に設けた凹部等にフックボタンを係止させて連結させるものである。
【０００３】
一方、電動工具とバッテリーパックとの連結構造としては、フックボタンの他、電動工具の装着部に一対のガイドレールを、バッテリーパックの上面に、ガイドレールの間に嵌合するスライドレールを設けて、ガイドレールに対してスライドレールをスライドさせてバッテリーパックに設けたフックボタンを装着部に係止させるスライド結合構造も知られている。この場合、装着部におけるガイドレールの間には、ガイドレールと平行な電極端子板が設けられ、バッテリーパックの上面には、バッテリーパックのスライドに伴って電極端子板を保持する電極端子がスライド方向に配置されている。
従って、このスライド結合構造を保持具に採用する場合は、連結体の上面にスライドレールと電極端子とを夫々設けることになる。
【０００４】
【特許文献１】特開平１０−２８６７８６号公報
【発明の開示】
【発明が解決しようとする課題】
【０００５】
しかし、このように電動工具とバッテリーパックとの連結構造をそのまま保持具に採用すると、保持具を使用した状態では、従来装着部においてバッテリーパックの重量のみを負担していた凹部やガイドレール等の被係止部に、逆に電動工具側の重量がかかることになる。従って、保持具の着脱の繰り返しによって被係止部が摩耗し、連結体との連結にガタが生じて電極端子間にもガタが伝わり、保持具を連結した場合は勿論、バッテリーパックを装着した場合でも音や振動が発生して不快感を生じさせたり、接触不良の原因となって端子寿命が短縮化したりするおそれがある。特許文献１では、当該連結構造をそのまま利用しない形態として、連結体に電動工具のハウジングに沿って延設されるアームを設ける構造が開示されているが、連結体の形状が複雑となってコストアップに繋がる。
【０００６】
そこで、本発明は、コストアップを抑えた簡単な構造で、電動工具の装着部への負担を抑えて良好な使用感や電気的接続が維持できる電動工具及び保持具を提供することを目的としたものである。
【課題を解決するための手段】
【０００７】
上記目的を達成するために、請求項１に記載の発明は、電源となるバッテリーパックを着脱可能な装着部を有する電動工具であって、遠隔操作用保持具が、前記装着部でのみ前記電動工具に対して着脱されるものであり、前記装着部に、前記遠隔操作用保持具との連結用の被係止部を新たに設けたことを特徴とするものである。
請求項２に記載の発明は、請求項１の構成において、前記装着部への前記バッテリーパックの装着を、前記装着部に設けた一対のガイドレールの間に前記バッテリーパックに設けた一対のスライドレールを嵌合させてスライド結合させるものとして、前記被係止部を、前記ガイドレールの外面で前記ガイドレールと平行に突出する突条としたことを特徴とするものである。
上記目的を達成するために、請求項３に記載の発明は、保持具であって、請求項１又は２に記載の電動工具の装着部に連結可能な連結体と、前記連結体に連結された前記電動工具のスイッチをＯＮ状態に維持可能なスイッチ規制手段と、前記連結体にパイプを介して接続され、前記バッテリーパックを着脱可能なハンドルと、前記連結体に装着された前記電動工具を前記ハンドルに装着された前記バッテリーパックと電気的接続させる接続手段と、前記ハンドルに設けられ、前記接続手段による前記電動工具とバッテリーパックとの電気的接続を制御可能なスイッチ手段とを備え、前記連結体に、前記被係止部に係止して前記装着部を支持する係止部を設けて、前記被係止部と係止部との係止によって前記装着部に前記連結体を連結可能としたことを特徴とするものである。
請求項４に記載の発明は、請求項３の構成において、前記被係止部が前記突条となる請求項２に記載の電動工具に対しては、前記係止部を、前記一対のガイドレールの外側に位置して互いの対向面に前記突条が嵌合可能な凹溝を形成した一対の壁体としたことを特徴とするものである。
上記目的を達成するために、請求項５に記載の発明は、請求項１又は２に記載の電動工具に、請求項３又は４に記載の電動工具の遠隔操作用保持具の連結体を連結してなる遠隔操作用保持具付き電動工具としたものである。
【発明の効果】
【０００８】
本発明によれば、電動工具の装着部に設けたバッテリーパック着脱用の被係止部に電動工具自身の重量が加わらないので、被係止部の摩耗が抑えられ、保持具やバッテリーパックを装着した場合でもガタが生じず、良好な使用感や電気的接続が維持できる。特に、装着部に連結用の新たな被係止部を設けて連結体の係止部で係止させる簡単な構造となるため、コストアップも少なくて済む。
請求項２及び４に記載の発明によれば、上記効果に加えて、元のスライド結合による電気的接続を維持した被係止部及び係止部が簡単に形成可能となる上、電動工具側ではガイドレールの強度アップにも繋がる。
【発明を実施するための最良の形態】
【０００９】
以下、本発明の実施の形態を図面に基づいて説明する。
図１は、充電式電動工具の一例であるチェーンソーを示す斜視図で、チェーンソー１は、ハウジング２の前方に、外周に沿ってチェーン４を張設させたガイドバー３を突設し、ハウジング２に内蔵した図示しないモータ及びスプロケットの駆動機構によってチェーン４をガイドバー３に沿って回転させる周知の構造で、ハウジング２の上側には、スイッチレバー６を備えたハンドル５が前後方向へ設けられて、ハンドル５の後端に、電源となるバッテリーパック１１を着脱可能な装着部７が形成されている。８は、ハンドル５の前側内面においてスイッチレバー６の近傍に形成された凹部で、後述するスイッチロッド１７の係止に利用される。
【００１０】
この装着部７には、上下方向へ一対の電極端子板９，９が平行に設けられると共に、その電極端子板９，９の外側に、一対の横断面Ｌ字状のガイドレール１０，１０が、互いに端部同士が対向する向きで電極端子板９と平行に突設されている。一方、バッテリーパック１１の上面には、図示しないが、ガイドレール１０，１０の間に嵌合する一対のスライドレールと、そのスライドレールの間で電極端子板９，９と電気的接続する電極端子が設けられている。すなわち、バッテリーパック１１のスライドレールをガイドレール１０，１０の間に嵌合させてスライドさせ、バッテリーパック１１に設けたフックボタン１２を装着部７の係止孔１３に係止させると、同図（Ｂ）に示すようにバッテリーパック１１が装着部７に装着されて電気的接続される構造となっている。
【００１１】
また、装着部７におけるバッテリーパック１１の進入側の端部中央には、後述する保持具３０を連結するためのボルトの取付孔１４が、ハンドル５の内部へ向けて設けられている。
さらに、ガイドレール１０の外側に当たる装着部７の左右の外面には、保持具連結用の被係止部として、ガイドレール１０と平行な突条１５，１５が、ガイドレール１０と略同じ長さで夫々突設されている。各突条１５におけるバッテリーパック１１進入側と反対側の端部には、保持具３０を連結するためのボルトの取付孔１６，１６が、夫々ガイドレール１０と直交する左右方向で同軸上に設けられている。
【００１２】
一方、片側の突条１５における取付孔１６側の端部と、チェーンソー１のハンドル５に設けた凹部８との間には、スイッチ規制手段となるスイッチロッド１７が架設可能となっている。このスイッチロッド１７は、図２，３に示すように、先端が凹部８に嵌合可能で、ハンドル５に囲まれる前後方向のスペース内で伸長するへの字状の伸長部１８と、その伸長部１８の端部から装着部７の外面に沿って屈曲し、先端が突条１５の端部に係止可能なフック部１９とを有している。すなわち、伸長部１８の先端を凹部８に嵌合させてフック部１９を突条１５の端部に係止させた状態では、伸長部１８がスイッチレバー６を押し込んでハンドル５に設けた図示しないスイッチをＯＮするようになっている（図６）。また、伸長部１８には、Ｌ字状の六角棒スパナの一端が差し込み可能な差込孔２０と、他端が嵌合保持可能な係止片２１とが設けられて、伸長部１８に沿って六角棒スパナを装着可能となっている。
【００１３】
次に、このチェーンソー１を連結可能な保持具について説明する。
図４は、保持具３０の一例を示す斜視図で、保持具３０は、長尺の中空のパイプ３１の一端に、チェーンソー１を連結する連結体３２を設け、他端に、バッテリーパック１１を装着するハンドル３３を設けてなる。
まず連結体３２は、図５〜８にも示すように、パイプ３１の先端にネジ固定される合成樹脂の成形品で、パイプ３１と直交する上面には、チェーンソー１との連結部３４が形成されている。この連結部３４は、外周に立設される係止部としてのＵ字状の連結壁３５と、その連結壁３５の内側に突設される四角形状の端子接続部３６とを備え、連結壁３５の一対の平行な端部３７，３７は、チェーンソー１のガイドレール１０，１０を外側から覆う間隔を有して、互いの対向面に、ガイドレール１０の突条１５が連結壁３５の開放側から進入可能な凹溝３８を夫々形成している。
【００１４】
３９は、連結壁３５の端部３７，３７に夫々穿設され、突条１５が凹溝３８に進入した連結状態で突条１５側の取付孔１６と重なる透孔で、連結部３４においてスイッチロッド１７の取付側の突条１５に対応する端部３７の内側の根元部分には、スイッチロッド１７のフック部１９が嵌合して突条１５への係止を許容する溝４０が形成されている。
また、端子接続部３６は、装着部７の電極端子板９，９と同じ間隔で、上面から連結壁３５の開放側の面にかけて互いに平行なスリット４１，４１を形成しており、そのスリット４１内に、進入した電極端子板９を保持して電気的接続する電極端子４２が夫々設けられている。
【００１５】
一方、ハンドル３３は、左右対称の割り型でパイプ３１の後端を挟持してネジ固定される合成樹脂の成形品で、その内部には、図９にも示す如く、連結体３２の電極端子４２からパイプ３１を通って配線されたリード線４３が接続されるスイッチ４４と、そのスイッチ４４のプランジャを押し込んでスイッチ４４をＯＮさせるスイッチレバー４５と、常態ではコイルバネによってスイッチレバー４５の押込み操作を阻止する位置にあり、押込みによってスイッチレバー４５の押込み操作を可能とするロックオフボタン４６とが設けられている。
また、ハンドル３３の下端には、バッテリーパック１１の装着部４７が形成されている。この装着部４７は、チェーンソー１の装着部７と同様に、一対のガイドレール（外面に突条は有しない）４８，４８と、そのガイドレール４８，４８間に位置する一対の電極端子板４９，４９と、バッテリーパック１１のフックボタン１２が係止可能な係止孔５０とを備えるもので、電極端子板４９，４９が図示しないリード線を介してスイッチ４４に接続されている。
【００１６】
以上の如く構成されたチェーンソー１及び保持具３０は、バッテリーパック１１を取り外したチェーンソー１の装着部７と連結体３２の連結部３４とを、ガイドレール１０の突条１５が連結壁３５の凹溝３８に嵌合する位置で、各ガイドレール１０を連結壁３５の端部３７と端子接続部３６との間にスライドさせる。すると、ガイドレール１０端部が連結壁３５の基端内側に当接してスライドが停止する。このとき、端子接続部３６のスリット４１，４１に装着部７の電極端子板９，９が進入して電極端子４２，４２との電気的接続がなされる。
そして、スイッチロッド１７を、伸長部１８の先端をハンドル５の凹部８に係止させてフック部１９を連結壁３５の端部３７とガイドレール１０との間で突条１５に係止させ、連結体３２の下方及び左右から取付孔１４，１６に夫々六角穴付きボルト２２を六角棒スパナを利用してねじ込む。すると、図６〜８及び図１０に示すように、チェーンソー１は連結部３４を介して連結体３２に連結される。このとき、チェーンソー１の重量はガイドレール１０外面の突条１５と連結壁３５の端部３７とに加わることになり、ガイドレール１０には負荷がかからない。
【００１７】
この連結状態でスイッチロッド１７の伸長部１８は、スイッチレバー６を押込んで常にチェーンソー１側のスイッチをＯＮ状態に維持する。なお、チェーンソー１のハンドル５にもハンドル３３で説明したものと同じロックオフボタン２３が設けられているため、連結時にはこのロックオフボタン２３を押し込み状態にしてスイッチロッド１７を取り付ける必要がある。
一方、ハンドル３３においては、装着部４７のガイドレール４８，４８にバッテリーパック１１のスライドレールを嵌合させ、フックボタン１２が係止孔５０に係止するまでスライドさせると、装着部４７の電極端子板４９，４９がバッテリーパック１１側の電極端子と電気的接続されて、図９，１０に示すようにバッテリーパック１１はハンドル３３と一体化される。
【００１８】
このように、上記形態のチェーンソー１及び保持具３０によれば、チェーンソー１のガイドレール１０にチェーンソー１自身の重量が加わらないので、ガイドレール１０の摩耗が抑えられ、保持具１やバッテリーパック１１を装着した場合でもガタが生じずに良好な使用感や電気的接続が維持できる。特に、ガイドレール１０に突条１５を設けて連結体３２の連結壁３５で保持させる簡単な構造となるため、コストアップも少なくて済む。
また、被係止部を、ガイドレール１０の外面でガイドレール１０と平行に突出する突条１５とし、係止部を、ガイドレール１０，１０の外側に位置して互いの対向面に突条１５が嵌合可能な凹溝３８を形成した連結壁３５としたことで、元のスライド結合による電気的接続を維持した被係止部及び係止部が簡単に形成可能となる上、ガイドレール１０の強度アップにも繋がる。
【００１９】
なお、上記形態では、突条と連結壁との係止に加えてボルトによる連結も行っているが、ボルトの数や連結位置は適宜変更可能で、フックボタン等の係止構造の採用によってはボルトによる連結を省略することもできる。
また、電動工具の被係止部と保持具の係止部としては、上記形態に限らず、突条と凹溝とを夫々左右に複数に設けたり、突条に代えて複数の突起を直線上に並設したり、連結壁をＵ字状でなく左右に分離した一対のものとしたり等、適宜設計変更可能である。
さらに、上記形態では、電動工具とバッテリーパックとがスライド結合される構造に本発明を適用しているが、背景技術で説明したようにバッテリーパックの差込部を装着部に差し込んでフックボタンを装着部に係止させる構造であっても、本発明の採用は可能である。すなわち、装着部の外面にフックボタンの被係止部と別の新たな被係止部（凹部等）を設ける一方、連結体に、装着部の外側に位置して被係止部に係止する係止部（フック部等）を備えた連結壁等を設けるようにすれば、同様にバッテリーパック用の被係止部を利用しない連結が可能である。
【００２０】
一方、スイッチ規制手段も、上記スイッチロッドの形態に限らず、スイッチレバーの位置等に応じて形態や電動工具への係止位置等は適宜変更可能であるが、上記形態のように保持具側では突条の端部に係止させて連結体の連結と共に装着部と連結壁との間で挟持固定されるスイッチロッドとすれば、スイッチロッドの取付が容易に行える利点がある。
その他、保持具のハンドルにおいてロックオフボタンをなくしたり、補助ハンドルを連設したり、パイプをテレスコープ型等にして伸縮可能としたり等、種々の設計変更は可能で、保持具に連結させる電動工具も、チェーンソーに限らず、剪定ハサミ、レシプロソー、ヘッジトリマー、マルノコ（枝打ち用）、グラスシャー等の他の種類のものが採用可能である。
【図面の簡単な説明】
【００２１】
【図１】チェーンソーの斜視図で、（Ａ）がバッテリーパックを取り外した状態、（Ｂ）が装着状態を夫々示す。
【図２】スイッチロッドの説明図で、上が上方からの斜視図、下が下方からの斜視図である。
【図３】スイッチロッドの説明図で、上から背面、平面、正面、底面を夫々示し、右が右側面を示す。
【図４】保持具の斜視図（バッテリーパック装着状態）である。
【図５】チェーンソーの装着部と保持具の連結体との説明図である。
【図６】保持具の連結体にチェーンソーを連結した状態を示す部分断面図である。
【図７】Ａ−Ａ線断面図である。
【図８】（Ａ）はＢ−Ｂ線断面図、（Ｂ）はＣ−Ｃ線断面図である。
【図９】保持具のハンドルにバッテリーパックを装着した状態を示す部分断面図である。
【図１０】保持具を連結したチェーンソーの説明図である。
【符号の説明】
【００２２】
１・・チェーンソー、２・・ハウジング、５・・ハンドル、６・・スイッチレバー、７・・装着部、８・・凹部、９・・電極端子板、１０・・ガイドレール、１１・・バッテリーパック、１５・・突条、１７・・スイッチロッド、１８・・伸長部、１９・・フック部、３０・・保持具、３１・・パイプ、３２・・連結体、３３・・ハンドル、３４・・連結部、３５・・連結壁、３６・・端子接続部、３７・・端部、３８・・凹溝、４２・・電極端子、４４・・スイッチ、４５・・スイッチレバー、４７・・装着部、４８・・ガイドレール、４９・・電極端子板。
【図１】
0005221158.tif 000002
【図２】
0005221158.tif 000003
【図３】
0005221158.tif 000004
【図４】
0005221158.tif 000005
【図５】
0005221158.tif 000006
【図６】
0005221158.tif 000007
【図７】
0005221158.tif 000008
【図８】
0005221158.tif 000009
【図９】
0005221158.tif 000010
【図１０】
0005221158.tif 000011